(57)【要約】  【課題】  撮像姿勢を変更せずとも、移動する被写体を追随するようにして表示部の略中央に移動体を表示することができる撮像装置を提供する。  【解決手段】  ＨＤＴＶ用のアスペクト比が１６／９の撮像素子２０を有する撮像手段と、アスペクト比が４／３の表示部２７とを備える撮像装置に、撮像手段が撮像した画像中の移動体を検出し、移動体の位置を算出する移動体検出部２４と、算出結果に基づいて移動体を略中央に含む画像部分を抽出する抽出部２６とを更に備え、表示部２７は抽出部が抽出した画像部分を表示するように構成する。【選択図】        図１
2006109359.tif 000002
【特許請求の範囲】
【請求項１】
撮像素子を有する撮像手段を備え、前記撮像手段が撮像した画像を表示するようにしてある撮像装置において、
画像中の移動体を特定する特定手段と、
該特定手段が特定した移動体を含む画像部分を抽出する抽出手段と、
該抽出手段が抽出した画像部分を表示する表示部と
を備えることを特徴とする撮像装置。
【請求項２】
前記抽出手段は、
前記特定手段が特定した移動体を略中央に含むように画像部分を抽出するようにしてあることを特徴とする
請求項１に記載の撮像装置。
【請求項３】
前記表示部は、
略長方形であり、
前記撮像素子は、
前記表示部よりアスペクト比が大きい略長方形をなし、
前記画像部分は、
前記表示部と略相似である
ことを特徴とする請求項１又は請求項２に記載の撮像装置。
【請求項４】
前記抽出手段が抽出した画像部分の画素数と、前記表示部の画素数とが不一致の場合、前記画像部分の画素数を前記表示部の画素数に変換する手段を備える
ことを特徴とする請求項３に記載の撮像装置。
【請求項５】
前記撮像手段が撮像した画像の端部を含む特定範囲内に移動体が位置するか否かを判定する判定手段と、
移動体が前記特定範囲内に位置すると前記判定手段が判定した場合、移動体を一部に含むように前記抽出手段が抽出した第１画像部分に該第１画像部分と異なる画像の第２画像部分を補完して、移動体を略中央に含む画像部分を生成する生成手段と
を備え、
前記表示部は、
前記生成手段が生成した画像部分を表示するようにしてある
ことを特徴とする請求項１乃至請求項４のいずれか一つに記載の撮像装置。
【請求項６】
前記表示部は、
移動体が前記特定範囲内に位置すると前記判定手段が判定した場合、移動体が画像の略中央に含まれるように前記撮像手段を移動させるための方向を示す方向指示画像を表示するようにしてある
ことを特徴とする請求項５に記載の撮像装置。
【請求項７】
前記画像部分を記録する手段を備える
ことを特徴とする請求項１乃至請求項６のいずれか一つに記載の撮像装置。
【請求項８】
前記撮像手段が撮像した画像の全体若しくは一部、又は前記画像部分のいずれを表示するかの選択を受け付ける受付手段を備え、
前記表示部は、
前記受付手段が受け付けた選択に応じて、画像の全体若しくは一部、又は前記画像部分を表示するようにしてある
ことを特徴とする請求項１乃至請求項７のいずれか一つに記載の撮像装置。
【発明の詳細な説明】
【技術分野】
【０００１】
本発明は、撮像素子を有する撮像手段と、該撮像手段が撮像した画像を表示する表示部とを備える撮像装置に関する。
【背景技術】
【０００２】
従来の撮像装置は、レンズ及び撮像素子を有する撮像手段と、該撮像手段が撮像した画像を表示する表示部とを備えている。撮像素子は、ＨＤＴＶ（ｈｉｇｈｔ  ｄｅｆｉｎｉｔｉｏｎ  ｔｅｌｅｖｉｓｉｏｎ）用のアスペクト比が１６／９のＣＣＤ、表示部は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）用のアスペクト比が４／３の液晶パネルを用いて構成されている。
【０００３】
また、撮像装置は、撮像手段が撮像したアスペクト比が１６／９の画像から、アスペクト比が４／３の画像部分を抽出する抽出部と、抽出部の画像抽出を制御する制御部とを備えている。抽出部は、例えば、トリミングコントローラにより構成されている。抽出部により抽出された画像部分のデータは、信号処理部にて表示用の信号に変換されて表示部へ出力されると共に、記録再生部に装着された磁気テープ、半導体メモリ等の記録媒体に記録される。表示部は、信号処理部から出力された信号に基づいて画像部分を表示する。
【０００４】
制御部には、十字キーのような操作部が接続されており、操作部の操作に応じて、抽出する画像部分の位置を決定する。
【０００５】
このように構成される撮像装置においては、アスペクト比が１６／９の画像から、アスペクト比が４／３の画像部分が抽出され、抽出された画像部分は表示及び記録される。従って、撮像装置の撮像姿勢を変更せずに、移動する被写体を追随して撮像することができる。
【０００６】
また、撮像装置の使用者の眼球運動を検出し、検出結果に応じて、使用者の所望する画像部分を決定するように構成された撮像装置が提案されている。
【特許文献１】特開平６−２０５２７６号公報
【発明の開示】
【発明が解決しようとする課題】
【０００７】
しかしながら、撮像装置の使用者は、表示部に表示される画像のみならず、被写体、その他の方向に視線を向ける場合があるため、眼球運動の検出により決定された画像部分と、移動体、即ち移動する被写体の画像を含む画像部分とが必ずしも一致せず、移動体を含む画像部分が記録及び表示されない虞があるという問題があった。
【０００８】
また、操作部の操作に応じて画像部分を決定する場合、使用者は常に操作部を的確に操作する必要があり、移動する被写体の撮像に集中できないという問題があった。
【０００９】
本発明は、斯かる事情に鑑みてなされたものであり、撮像手段が撮像した画像中の移動体を特定し、特定した移動体を含む画像部分を抽出して表示部に表示するように構成することにより、使用者の視線に関わらず、撮像姿勢を変更せずに、移動する被写体の画像を表示部に表示することができる撮像装置を提供することを目的とする。
【００１０】
また、特定した移動体を略中央に含む画像部分を抽出するように構成することにより、撮像姿勢を変更せずに、移動する被写体を表示部の略中央に表示することができる撮像装置を提供することを他の目的とする。
【００１１】
更に、アスペクト比の異なる略長方形の撮像素子及び表示部を備え、表示部と相似の画像部分を抽出して表示するように構成することにより、表示部のアスペクト比に適合した画像部分を表示部に表示することができる撮像装置を提供することを他の目的とする。
【００１２】
更にまた、画像部分の画素数と、表示部の画素数とが不一致の場合、画像部分の画素数を表示部の画素数に変換するように構成することにより、表示部全体に画像部分を表示することができる撮像装置を提供することを他の目的とする。
【００１３】
更にまた、移動体を略中央に含ませるように画像部分を抽出できない場合、移動体を一部に含む画像部分に該画像部分と異なる画像を補完し、移動体を略中央に含む画像部分を生成するように構成することにより、移動体が撮像視野内にある限り、移動する被写体を表示部の略中央に表示することができる撮像装置を提供することを他の目的とする。
【００１４】
更にまた、移動体を略中央に含ませるように画像部分を抽出できない場合、移動する被写体を追随するために撮像装置を移動させるべき方向を指示する方向指示画像を表示するように構成することにより、移動する被写体が撮像視野から外れることを防ぐことができる撮像装置を提供することを他の目的とする。
【００１５】
更にまた、画像部分を記録するように構成することにより、撮像姿勢を変更せずに、移動する被写体の画像を含む画像部分を記録することができる撮像装置を提供することを他の目的とする。
【００１６】
更にまた、撮像手段が撮像した画像の全体若しくは一部、又は画像部分のいずれかを選択的に表示することができる撮像装置を提供することを他の目的とする。
【課題を解決するための手段】
【００１７】
本発明に係る撮像装置は、撮像素子を有する撮像手段を備え、前記撮像手段が撮像した画像を表示するようにしてある撮像装置において、画像中の移動体を特定する特定手段と、該特定手段が特定した移動体を含む画像部分を抽出する抽出手段と、該抽出手段が抽出した画像部分を表示する表示部とを備えることを特徴とする。
【００１８】
本発明にあっては、撮像手段が撮像した画像中の移動体を特定手段が特定する。移動体は、時系列の画像間で変移する画像の部分である。特定手段が移動体を特定した場合、抽出手段は、特定手段が特定した移動体を含む画像部分を抽出し、表示部は抽出された画像部分を表示する。従って、画像中の移動体を追随するように画像部分を抽出し、抽出した画像部分を表示することができる。
【００１９】
本発明に係る撮像装置は、前記抽出手段が、前記特定手段が特定した移動体を略中央に含むように画像部分を抽出するようにしてあることを特徴とする。
【００２０】
本発明にあっては、抽出手段が画像中の移動体を略中央に含むように画像部分を抽出し、表示部は、抽出された画像部分を表示する。従って、表示部の略中央に移動体が表示される。
【００２１】
本発明に係る撮像装置は、前記表示部が、略長方形であり、前記撮像素子は、前記表示部よりアスペクト比が大きい略長方形をなし、前記画像部分は、前記表示部と略相似であることを特徴とする。
【００２２】
本発明にあっては、撮像素子及び表示部のアスペクト比が異なるが、抽出手段は表示部と相似の画像部分を抽出する。従って、表示部は、表示部の形状に適合した画像部分を表示する。
【００２３】
本発明に係る撮像装置は、前記抽出手段が抽出した画像部分の画素数と、前記表示部の画素数とが不一致の場合、前記画像部分の画素数を前記表示部の画素数に変換する手段を備えることを特徴とする。
【００２４】
本発明にあっては、抽出手段が抽出する画像部分の画素数と、表示部の画素数とが不一致の場合、画像部分の画素数を表示部の画素数に変換する。従って、抽出手段が抽出する画像部分の画素数に関わらず、移動体を含む画像部分を表示部全体に表示することができる。
【００２５】
本発明に係る撮像装置は、前記撮像手段が撮像した画像の端部を含む特定範囲内に移動体が位置するか否かを判定する判定手段と、移動体が前記特定範囲内に位置すると前記判定手段が判定した場合、移動体を一部に含むように前記抽出手段が抽出した第１画像部分に該第１画像部分と異なる画像の第２画像部分を補完して、移動体を略中央に含む画像部分を生成する生成手段とを備え、前記表示部は、前記生成手段が生成した画像部分を表示するようにしてあることを特徴とする。
【００２６】
本発明にあっては、撮像手段が撮像した画像の端部を含む特定範囲内に移動体が位置していると判定手段が判定した場合、つまり、移動体を略中央に含ませるように画像部分を抽出できない場合、抽出手段は、一部に移動体を含む第１画像部分を抽出する。そして、生成手段は、第１画像部分に第２画像部分を補完して、移動体を略中央に含む画像部分を生成する。従って、撮像手段が撮像した画像の端部に移動体が位置する場合であっても、移動体は表示部の略中央に表示される。
【００２７】
本発明に係る撮像装置は、前記表示部が、移動体が前記特定範囲内に位置すると前記判定手段が判定した場合、移動体が画像の略中央に含まれるように撮像手段を移動させるための方向を示す方向指示画像を表示するようにしてあることを特徴とする。
【００２８】
本発明にあっては、撮像手段が撮像した画像の端部を含む特定範囲内に移動体が位置していると判定手段が判定した場合、方向指示画像を表示して、移動体が撮像視野から外れないような撮像手段の移動方向を示す。
【００２９】
本発明に係る撮像装置は、前記画像部分を記録する手段を備えることを特徴とする。
【００３０】
本発明にあっては、移動体を含む画像部分を記録するため、撮像姿勢を変更することなく、移動体を追随するようにして画像部分を記録する。
【００３１】
本発明に係る撮像装置は、前記撮像手段が撮像した画像の全体若しくは一部、又は前記画像部分のいずれを表示するかの選択を受け付ける受付手段を備え、前記表示部は、前記受付手段が受け付けた選択に応じて、画像の全体若しくは一部、又は前記画像部分を表示するようにしてあることを特徴とする。
【００３２】
本発明にあっては、受付手段により表示する画像の選択を受け付け、表示部は、受付手段が受け付けた選択に応じて、撮像手段が撮像した画像の全体若しくは一部、又は移動体を含む画像部分のいずれかを表示する。
【発明の効果】
【００３３】
本発明に係る撮像装置によれば、使用者の視線に関わらず、撮像姿勢を変更せずに、移動体、即ち移動する被写体の画像を含む画像部分を表示部に表示することができる。
【００３４】
本発明に係る撮像装置によれば、撮像姿勢を変更せずに、移動体を表示部の略中央に表示することができる。
【００３５】
本発明に係る撮像装置によれば、表示部の形状に適合した画像部分を表示部に表示することができる。
【００３６】
本発明に係る撮像装置によれば、移動体を含む画像部分を表示部全体に表示することができる。
【００３７】
本発明に係る撮像装置によれば、被写体が撮像視野内にある限り、移動体を表示部の略中央に表示することができる。
【００３８】
本発明に係る撮像装置によれば、移動する被写体を追随するための方向を方向指示画像により示すことができ、移動する被写体が撮像視野から外れることを防ぐことができる。
【００３９】
本発明に係る撮像装置によれば、撮像姿勢を変更せずに、移動体を含む画像部分を記録することができる。
【００４０】
本発明に係る撮像装置によれば、撮像手段が撮像した画像の全体若しくは一部又は移動体を含む画像部分のいずれかを選択的に表示することができる。
【発明を実施するための最良の形態】
【００４１】
以下、本発明をその実施の形態を示す図面に基づいて詳述する。
【００４２】
図１は、本発明に係る撮像装置を模式的に示すブロック図、図２及び図３は、撮像装置により撮像された画像、及び該画像から抽出された画像部分４１を示す模式図である。図中１はレンズであり、レンズ１の後方には撮像素子２０が設けられている。撮像素子２０は、アスペクト比が１６／９、例えば１８４０×１０３５の画素数を有するＨＤＴＶ用のＣＣＤであり、レンズ１で集光して結像した像をアナログの撮像信号に光電変換する。光電変換された撮像信号は、所定のフレームレート例えば３０ＦＰＳ（Ｆｒａｍｅ  Ｐｅｒ  Ｓｅｃｏｎｄ）で、Ａ／Ｄ変換部２１へ出力される。
【００４３】
Ａ／Ｄ変換部２１は、アナログの撮像信号をデジタルの撮像データにＡＤ変換し、ＡＤ変換した撮像データを信号処理部２２へ出力する。信号処理部２２は、ＤＳＰ（Ｄｉｇｉｔａｌ  Ｓｉｇｎａｌ  Ｐｒｏｃｅｓｓｏｒ）を用いてなり、Ａ／Ｄ変換部２１から出力された撮像データをＳＲＡＭ、ＳＤＲＡＭ等のメモリ２３に書き込む機能と、撮像データを移動体検出部２４へ出力する機能とを有している。メモリ２３には、図２（ａ）に示すような１８４０×１０３５の画素数を有する撮像データが書き込まれる。
【００４４】
移動体検出部２４は、信号処理部２２から出力された撮像データに係る画像４中の移動体４０を検出して、画像４における移動体４０の位置を算出する動き検出回路である。算出結果は、制御部２５へ出力される。例えば図２（ａ）においては、自動車の画像が移動体４０として検出される。移動体４０の検出及び位置の算出は、例えば、時系列の複数の画像を比較して、画像４の変化部分を特定し、特定された変化部分からノイズによる変換部分を除去する等の画像処理を行うことにより実行される。
【００４５】
制御部２５は、抽出部２６、信号処理部２２等を制御するためのプログラムを記憶するＲＯＭ、前記プログラムを実行するＣＰＵ、一時記憶用のＲＡＭ等を備えるワンチップマイコンからなり、制御部２５の入出力端子には、電源スイッチ３０、モード切換ボタン３１、記録ボタン３２、停止ボタン３３、及び抽出範囲変更ボタン３４が接続されている。
【００４６】
制御部２５は、移動体検出部２４から出力された算出結果に基づいて抽出部２６による画像部分４１の抽出を制御することにより、メモリ２３に書き込まれた撮像データに係る画像４から、図２（ｂ）に枠線で示すような抽出範囲の画像部分４１を抽出し、抽出した画像部分４１に係る撮像データを信号処理部２２へ出力する機能を有している。抽出範囲は、ＮＴＳＣ規格に適合した６４０×４８０の画素範囲を基準とし、抽出範囲変更ボタン３４の操作に応じて、アスペクト比を保ちつつ減縮された画素範囲として決定される。例えば、３２０×２４０、１６０×１２０の画素範囲を抽出範囲として決定する。
【００４７】
また、制御部２５は、移動体４０を略中央に含ませるように抽出範囲を決定し、抽出部２６による画像部分４１の抽出を制御して、移動体４０を略中央に含む画像部分４１を抽出する機能を備えている。例えば、１８４０×１０３５の画素を有する画像４における移動体４０の画素位置が（Ｘ，Ｙ）の場合であって、６４０×４８０の画素からなる画像部分４１を抽出するとき、メモリ２３に書き込まれた１８４０×１０３５の画素夫々に対応する画素データの内、Ｘ−２４０≦ｘ＜Ｘ＋２４０、Ｙ−３２０≦ｙ＜Ｙ＋３２０の画素（ｘ，ｙ）夫々の画素データからなる撮像データを信号処理部２２へ出力するように抽出部２６を制御する。
【００４８】
更に、制御部２５は、図３（ａ）においてハッチングで示す特定範囲４２内に移動体４０が位置している場合、即ち図２に示す状態から移動体４０が左方向へ移動したために移動体４０を略中央に含ませるように画像部分４１を抽出できない場合、一部に移動体４０を含む第１画像部分４１ａを抽出するように抽出部２６の抽出を制御し、図３（ｂ）に示すように、抽出した画像部分４１に補完画像の第２画像部分４１ｂを補完し、全体としてアスペクト比が４／３の画像部分４１を生成する機能を有している。特定範囲４２は、画像部分４１の抽出範囲により特定される。例えば、１８４０×１０３５の画素を有する画像４から６４０×４８０の画素からなる画像部分４１を抽出する場合、０≦ｘ＜２４０、又は１０３５−２４０≦ｘ＜１０３５、及び０≦ｙ＜３２０、又は１８４０−３２０≦ｙ＜１８４０の画素範囲が特定範囲４２となる。
【００４９】
第２画像部分４１ｂ上には、移動体４０が撮像視野の中心に位置するように撮像装置をパーンさせるための方向を示す方向指示画像４３が表示される。図３（ｂ）に示すように、移動体４０が特定範囲４２の左側部分に位置する場合、左矢印の方向指示画像４３が表示される。方向指示画像４３の矢印の方向は、例えば、移動体検出部２４による検出結果に基づいて、移動体４０の移動ベクトルを制御部２５が算出することによって特定するように構成する。同様にして、移動体４０が特定範囲４２の右側部分に位置する場合、右矢印の方向指示画像４３が表示される。また、移動体４０が特定範囲４２の上側部分に位置する場合、上矢印の方向指示画像４３が表示され、特定範囲４２の下側部分に位置する場合、下矢印の方向指示画像４３が表示される。
【００５０】
信号処理部２２は、画像部分４１の撮像データを表示用の信号に変換して表示部２７へ出力する機能を有している。特に、撮像データに係る画像部分４１の画素数が表示部２７の画素数と不一致の場合、補間演算により、撮像データに係る画像部分４１の画素数を表示部２７の画素数に変換し、画素数を変換した撮像データを表示用の信号に変換する。表示部２７は、例えばアスペクト比が４／３の液晶パネルを備えており、信号処理部２２から出力された信号に基づいて画像部分４１を表示する。
【００５１】
また、信号処理部２２は、Ａ／Ｄ変換部２１から出力された撮像データを、スクイーズ方式、又はレターボックス方式等により、アスペクト比が４／３の画像に係る撮像データに変換し、変換した撮像データを表示用の信号に変換して表示部２７へ出力する機能を有している。スクイーズ方式により撮像データを変換した場合、画像４が水平方向に圧縮されるようにして表示される。レターボックス方式により撮像データを変換した場合、アスペクト比が１６／９の画像４の上下両端に帯状の黒色画像が表示されて、全体としてアスペクト比が４／３の画像が表示される。
【００５２】
更に、信号処理部２２は、画像部分４１の撮像データ又はＡ／Ｄ変換部２１から出力された撮像データをＭｏｔｉｏｎＪＰＥＧ又はＭＰＥＧ等の圧縮伸張方式により圧縮する機能と、圧縮した撮像データを記録再生部２８へ出力し、記録再生部２８に着脱自在に装着された記録媒体Ａに撮像データを記録する機能を有している。記録媒体Ａは、磁気テープ又は半導体メモリ等である。
【００５３】
図４乃至図６は、画像部分４１の抽出、表示及び記録に係る制御部２５の処理手順を示すフローチャートである。電源スイッチ３０がオンの状態になった場合、制御部２５は、モードフラグに０を設定し（ステップＳ１）、次いで、記録フラグに０を設定する（ステップＳ２）。モードフラグは、アスペクト比が１６／９の画像４を記録するモード、又はアスペクト比が４／３の画像部分４１を記録するモードのいずれかを示すデータであり、夫々のモードを０及び１の値で示している。記録フラグは、表示部２７に表示した画像４又は画像部分４１の撮像データを記録媒体Ａに記録するか否かを示すデータである。
【００５４】
ステップＳ２の処理を終えた場合、制御部２５は、撮像素子２０から所定のフレームレートで出力された撮像信号をデジタルの撮像データにＡＤ変換する（ステップＳ３）。次いで、制御部２５は、モード切換ボタン３１の操作状態を検出し、モード切換ボタン３１がオンの状態にあるか否かを判定する（ステップＳ４）。モード切換ボタン３１がオンの状態にあると判定した場合（ステップＳ４：ＹＥＳ）、制御部２５は、モードフラグの値を変更する（ステップＳ５）。つまり、モードフラグが０の場合、モードフラグに１を設定し、モードフラグが１の場合、０を設定する。
【００５５】
ステップＳ５の処理を終えた場合、又はステップＳ４においてモード切換ボタン３１がオンの状態にないと判定した場合（ステップＳ４：ＮＯ）、制御部２５は、記録ボタン３２の操作状態を検出して、記録ボタン３２がオンの状態にあるか否かを判定する（ステップＳ６）。記録ボタン３２がオンの状態にあると判定した場合（ステップＳ６：ＹＥＳ）、制御部２５は、記録フラグに１を設定する（ステップＳ７）。
【００５６】
ステップＳ７の処理を終えた場合、又はステップＳ６において記録ボタン３２がオンの状態にないと判定した場合（ステップＳ６：ＮＯ）、制御部２５は、モードフラグが０であるか否かを判定する（ステップＳ８）。モードフラグが０であると判定した場合（ステップＳ８：ＹＥＳ）、制御部２５は、ＡＤ変換した撮像データを、表示部２７に表示するための信号に変換して表示部２７へ出力する（ステップＳ９）。
【００５７】
モードフラグが０でないと判定した場合（ステップＳ８：ＮＯ）、制御部２５は、移動体検出部２４による算出結果に基づいて、移動体４０が特定範囲４２内にあるか否かを判定する（ステップＳ１０）。移動体４０が特定範囲４２内にあると判定した場合（ステップＳ１０：ＹＥＳ）、制御部２５は、移動体４０を一部に含む第１画像部分４１ａを抽出し、抽出した第１画像部分４１ａに第２画像部分４１ｂを補完することにより、移動体４０を略中央に含む画像部分４１を生成する（ステップＳ１１）。移動体４０が特定範囲４２内にないと判定した場合（ステップＳ１０：ＮＯ）、制御部２５は、移動体４０を略中央に含む画像部分４１を抽出する（ステップＳ１２）。
【００５８】
ステップＳ１１又はステップＳ１２の処理を終えた場合、制御部２５は、画像部分４１の画素数が表示部２７の画素数と一致するか否かを判定する（ステップＳ１３）。画像部分４１の画素数が表示部２７の画素数と一致しない場合（ステップＳ１３：ＮＯ）、制御部２５は、画像部分４１の画素数を補間演算により、表示部２７の画素数に変換する（ステップＳ１４）。
【００５９】
ステップＳ１４の処理を終えた場合、又はステップＳ１３において画像部分４１の画素数が表示部２７の画素数と一致すると判定した場合（ステップＳ１３：ＹＥＳ）、制御部２５は、画像部分４１の撮像データを表示用の信号に変換して表示部２７へ出力する（ステップＳ１５）。
【００６０】
ステップＳ９又はステップＳ１５の処理を終えた場合、制御部２５は、記録フラグが１であるか否かを判定する（ステップＳ１６）。記録フラグが１であると判定した場合（ステップＳ１６：ＹＥＳ）、制御部２５は、画像４又は画像部分４１に係る撮像データを所定の圧縮伸張方式により圧縮し、圧縮した撮像データを記録媒体Ａに記録する（ステップＳ１７）。
【００６１】
ステップＳ１７の処理を終えた場合、又はステップＳ１６において記録フラグが１でないと判定した場合（ステップＳ１６：ＮＯ）、制御部２５は、抽出範囲変更ボタン３４の操作状態を検出し、抽出範囲変更ボタン３４が操作されているか否かを判定する（ステップＳ１８）。抽出範囲変更ボタン３４が操作されていると判定した場合（ステップＳ１８：ＹＥＳ）、制御部２５は、抽出範囲変更ボタン３４の操作に応じて抽出範囲の大きさを変更する（ステップＳ１９）。
【００６２】
ステップＳ１９の処理を終えた場合、又はステップＳ１８において抽出範囲変更ボタン３４が操作されていないと判定した場合（ステップＳ１８：ＮＯ）、制御部２５は、停止ボタン３３の操作状態を検出して、停止ボタン３３がオンの状態にあるか否かを判定する（ステップＳ２０）。停止ボタン３３がオンの状態にあると判定した場合（ステップＳ２０：ＹＥＳ）、制御部２５は、記録フラグに０を設定する（ステップＳ２１）。
【００６３】
ステップＳ２１の処理を終えた場合、又はステップＳ２０において停止ボタン３３がオンの状態にないと判定した場合（ステップＳ２０：ＮＯ）、制御部２５は、電源スイッチ３０の操作状態を検出し、電源スイッチ３０がオンの状態にあるか否かを判定する（ステップＳ２２）。電源スイッチ３０がオンの状態にあると判定した場合（ステップＳ２２：ＹＥＳ）、制御部２５は処理をステップＳ３へ戻す。電源スイッチ３０がオンの状態にないと判定した場合（ステップＳ２２：ＮＯ）、制御部２５は処理を終える。
【００６４】
このように構成される撮像装置においては、アスペクト比が１６／９の画像４から、移動体４０を追随するようにしてアスペクト比が４／３の画像部分４１が抽出され、抽出された画像部分４１は表示部２７に表示される。また、画像部分４１の撮像データは記録媒体Ａに記録される。従って、撮像姿勢を変更することなく、移動体４０を追随するようにして画像部分４１の撮像データを記録することができる。
【００６５】
また、方向指示画像４３により、移動体４０が撮像視野の略中央にくるために撮像装置をパーンさせるべき方向を指示することにより、移動体４０が撮像視野から外れないようにすることができる。
【００６６】
更に、モード切換ボタン３１によるモードフラグの切り換えにより、アスペクト比が１６／９の画像４を表示部２７に表示して記録するモードと、移動体４０を追随するようにして抽出されたアスペクト比が４／３の画像部分４１を表示部２７に表示して記録するモードとを選択することができ、撮像装置の使用者は各モードによる撮像を楽しむことができる。
【００６７】
なお、本実施の形態にあっては、アスペクト比が１６／９の撮像素子と、アスペクト比が４／３の表示部を採用したが、これに限るものではなく、１６／９又は４／３と異なるアスペクト比を有する撮像素子及び表示部を適用しても良い。特に、撮像素子と表示部のアスペクト比が同一であっても良い。
【００６８】
また、動画を撮像する撮像装置を一例として示したが、動画により撮像する画像をモニタして静止画を記録する電子スチルカメラ、カメラ内蔵形態電話、カメラ内蔵携帯端末、又はリモート監視カメラ等に適用しても良い。
【図面の簡単な説明】
【００６９】
【図１】本発明に係る撮像装置を模式的に示すブロック図である。
【図２】撮像装置により撮像された画像、及び該画像から抽出された画像部分を示す模式図である。
【図３】撮像装置により撮像された画像、及び該画像から抽出された画像部分を示す模式図である。
【図４】画像部分の抽出、表示及び記録に係る制御部の処理手順を示すフローチャートである。
【図５】画像部分の抽出、表示及び記録に係る制御部の処理手順を示すフローチャートである。
【図６】画像部分の抽出、表示及び記録に係る制御部の処理手順を示すフローチャートである。
【符号の説明】
【００７０】
１  レンズ
２０  撮像素子
２１  Ａ／Ｄ変換部
２２  信号処理部
２３  メモリ
２４  移動体検出部
２５  制御部
２６  抽出部
２７  表示部
２８  記録再生部
３０  電源スイッチ
３１  モード切換ボタン
３２  記録ボタン
３３  停止ボタン
３４  抽出範囲変更ボタン
【図１】
2006109359.tif 000003
【図２】
2006109359.tif 000004
【図３】
2006109359.tif 000005
【図４】
2006109359.tif 000006
【図５】
2006109359.tif 000007
【図６】
2006109359.tif 000008